Podtech/llm-jp-corpus-v4-ja_patent huggingface dataset:
(57)【要約】      （修正有）【課題】エレベーターを使用する際に「開」ボタンを押したつもりが「閉」ボタンを押して、乗り込んで来た人を挟みそうになることがしばしばある。この発明は、昇降機（エレベーター）の「開」「閉」ボタンを安全性、わかりやすさを備えたものにすることにより、高齢者や障害者が利用しやすく、かつ誤操作による怪我を防ぐためのものである。【解決手段】「閉」ボタンは、操作した場合に乗り込んで来た人を挟むことがあり危険性が高いので、「開」ボタンのサイズを「閉」ボタンよりも大きく、目立つ色をつけ、視覚に訴える操作ボタンにする。【選択図】図１
2004315225.tif 000002
【特許請求の範囲】
【請求項１】
昇降機開閉操作ボタンの「開」のボタンを「閉」のボタンサイズよりも大きくし色を付け目立つようにする。
【発明の詳細な説明】
病院などでエレベーターを使用する際に『開』を押したつもりが『閉』を押してしまい乗り込んで来た人を挟みそうになることがしばしばある。とっさの時は『開』『閉』の漢字が似ているので見誤ることが多い。『閉』を押すつもりが『開』を押した場合には危険性はともなわないが逆に『開』を押すつもりで『閉』を押した場合には怪我をさせる危険性が非常に高い。特に高齢者や障害者が利用する場合に問題となってくるが、安全性、わかりやすさは時代が求めているものである。つまり『開』ボタンが優先され目立った方がよいと考えられる。
また、最近では『開』『閉』の表示が漢字以外に絵や図形を使用したものもあり高齢者はおろか多くの人がわかりにくくなっている。外国人はほとんどが漢字はわからないであろうし、ｏｐｅｎ、ｃｌｏｓｅとなっていてもとっさの時に迷うのは同様である。
そこでボタンの大きさを『開』は『閉』よりも大きくして大小差をつける。別添図例のように、円形であれば瞬時で判別できる位に直径に差をつけ（図１）、四角形にするならヨコだけ長くするのではなくタテヨコ両方差をつける（図２）。なおかつ『開』は赤などの目立つ色にするとさらによい。これによって誰にでもどちらのボタンが重要か瞬時にわかる。とっさの時は漢字の持つ意味などよりも「赤の大きいボタン」という視覚に訴える表示の方が反射的に判断しやすく、『開』＝大きいボタンと一般的に浸透すればそのイメージが定着し間違えることも少なくなり、危険度が低くなると考えられる。つまり『開』にしろ『閉』にしろ、まず２つ並んでいるボタンを見てその意味を考え、次に行動を起こすというパターンでは時間もかかるし間違いも起こるが、上記の形状にすれば一瞬で優先されるべき『開』ボタンを判断できることになる。
【図１】
2004315225.tif 000003
【図２】
2004315225.tif 000004
【手続補正書】
【提出日】平成15年6月30日(2003.6.30)
【手続補正１】
【補正対象書類名】明細書
【補正対象項目名】図面の簡単な説明
【補正方法】変更
【補正の内容】
【図面の簡単な説明】
【図１】エレベーターボタンを円形とした一例で正面から見たもの
開くボタンを瞬時にわかるくらい閉じるボタンより大きい直径とした
【図２】エレベーターボタンを四角形とした一例で正面から見たもの
開くボタンを閉じるボタンに比べ瞬時でわかるように縦横とも大きくした
(57)【要約】【課題】ゴミ収集場での猫やカラス等からの被害を防ぎ、使用しないときは場所をとらないようにたたんでおけるゴミ箱を提供する。【解決手段】屋根板（１）と背面板（３）はそれぞれの長辺の一つの縁を２ヶ所をリング（４）でとめる。背面板（３）の短辺の縁両方と側面板（５）２枚の縁はそれぞれを２ヶ所づつ蝶つがい（７）でとめる。屋根板、背面板、その両側に側面板からなる前の開いた箱型の物ができる。それぞれの板はリングや蝶つがいによりつながっているため開閉可能である。屋根板の前縁につけたネット（１４）と前部板（６）はマグネット（１２）でそれぞれつなげる。背面板（３）の両端は支柱（２）２本でそれぞれ固定し支柱をその下の台座（９）２つにつけて倒れないようにする。【選択図】図１
2004315222.tif 000002
【特許請求の範囲】
【請求項１】
長方形の軽量な木製またはプラスチック製などの屋根板（１）と背面板（３）はそれぞれの長辺の一つの縁を２ヶ所リング（４）でとめ、背面板（３）の短辺の縁両方と側面板（５）２枚の縁はそれぞれを蝶つがい（７）でとめ、屋根板（１）、背面板（３）、その両側に側面板（５）からなる前の開いた箱を成して開閉可能とし、背面板（３）の両端中央にチェーン（１１）をひっかけるフック（１０）を取り付け、前部板（６）両端は側面板を通って背面板まで届く長さのチェーン（１１）をそれぞれ取り付け、屋根板（１）の前縁につけたネット（１４）と前部板（６）はマグネット（１２）でそれぞれつなげ、背面板（３）の両端は支柱（２）２本でそれぞれ固定し支柱をその下の台座（９）２つにつけて倒れないようにした折りたたみ式ゴミ集積箱。
【発明の詳細な説明】
【０００１】
【発明の属する技術分野】
この発明は、ゴミ収集時に猫やカラスによるゴミの散乱を防ぐためゴミを収納し、使用時以外はたたんでおける野外に設置式のゴミ箱に関するものである。
【０００２】
【従来の技術】
従来路上に置いたり、野外に設置するゴミ箱は網を被せるのみ、又は折りたためずその大きさのまま設置されていた。
【０００３】
【発明が解決しようとする課題】
これは次のような欠点があった。
イ．  猫やカラスが網を外してゴミをいたずらし散乱させていた。
ロ．  大きなゴミ箱では場所の確保が必要であった。
ハ．  ゴミ収集時以外の時に邪魔であった。
本発明は、以上の欠点を解決するためになされたものである。
【０００４】
【課題を解決するための手段】
長方形の軽量な木製またはプラスチック製などの屋根板（１）と背面板（３）はそれぞれの長辺の一つの縁を２ヶ所リング（４）でとめる。背面板（３）の短辺の縁両方と側面板（５）２枚の縁はそれぞれを２ヶ所づつ蝶つがい（７）でとめる。屋根板（１）、背面板（３）、その両側に側面板（５）からなる前の開いた箱型の物ができる。それぞれの板はリングや蝶つがいによりつながっているため開閉可能である。背面板（３）の両端中央にチェーン（１１）をひっかけるフック（１０）を取り付ける。前部板（６）両端やや上部には側面板を通って背面板まで届く長さのチェーン（１１）をそれぞれ取り付け、屋根板（１）の前縁につけたネット（１４）と前部板（６）はマグネット（１２）でそれぞれつなげ、背面板（３）の両端は支柱（２）２本でそれぞれ固定し支柱をその下の台座（９）２つにつけて倒れないようにする。それぞれの台座（９）には可動式のＬ型金具（８）をとりつけ側面板（５）を広げた時、たたんだ時にそれぞれとめる働きをする。本発明は、以上の構成よりなる折りたたみ式ゴミ集積箱である。
【０００５】
【発明の実施の形態】
以下、本発明の実施の形態を説明する。
（イ）長方形の軽量な木製またはプラスチック製など（材質は自由）の屋根板（１）と背面板（３）はそれぞれの長辺の一つの縁を２ヶ所リング（４）でとめる。
（ロ）背面板（３）の短辺の縁両方と側面板（５）２枚の縁はそれぞれを２ヶ所づつ蝶つがい（７）でとめる。
（ハ）背面板（３）の両端中央にチェーン（１１）をひっかけるフック（１０）を取り付ける。前部板（６）両端やや上部には側面板を通って背面板まで届く長さのチェーン（１１）をそれぞれ取り付ける。
（ニ）背面板（３）の両端を支柱（２）２本で固定し、支柱（２）の下にはそれぞれ台座（９）をつける。
（ホ）それぞれの台座（９）には可動式のＬ型金具（８）を取りつけ、側面板（５）を広げた時、たたんだ時にそれぞれとめる働きをする。
（ヘ）ネット（１４）を前に垂らした時、ネット（１４）につけたマグネット取付板（１３）中央に付いたマグネット（１２）と前部板（６）中央につけたマグネット（１２）でゴミ箱を閉じるようにする。
（ト）背面板（５）の二つの短辺縁の中央にフック（１０）をつけ、前部板（６）両端についたチェーン（１１）をかけて長さを調節しながら前部板（６）をゴミ箱の前方に固定する。
本発明は、以上の構造よりなっている。
本発明を使用するには、屋根板（１）を上げ、前部板（６）をはずし、可動式のＬ型金具（８）と側面板（５）をともに９０°横向きにする。チェーン（１１）の長さを短く調整し、側面板（５）と前部板（６）を固定し、屋根板（１）を乗せ、ネット（１４）を垂らす。ネット（１４）と前部板（６）についているマグネット（１２）で閉じる。以上のように組み立てたゴミ箱の中にゴミを入れていく。たたみ方は組立ての順序の逆を行う。
【０００６】
【発明の効果】
本発明を使用することによって、猫やカラスにゴミを散らかされない。しかも使用しないときには折りたたみ小さくなるので通行の妨げを小さくする。ゴミに対する環境衛生を目的とする。
【図面の簡単な説明】
【図１】本発明の組立て終了時の斜視図
【図２】本発明の折りたたんだ状態を示す前面図
【図３】本発明の上部板を後方に開けた状態を示す前面図
【図４】本発明の組立てた状態の側面図
【符号の説明】
１屋根板
２支柱
３背面板
４リング
５側面板
６前部板
７蝶つがい
８Ｌ型金具
９おもし台
１０フック
１１チェーン
１２マグネット
１３マグネット取付板
１４ネット
【図１】
2004315222.tif 000003
【図２】
2004315222.tif 000004
【図３】
2004315222.tif 000005
【図４】
2004315222.tif 000006
(57)【要約】【課題】不整地の作業現場であっても、整地して良好な作業環境を得ることができる高所作業車の提供。【解決手段】走行体１にブレード装置１０を装着し、作業床５の操作盤６にてブレード装置１０を操作可能に構成する。高所作業を行う作業現場が不整地の凹凸地面である場合には、ブレード装置１０を用い、事前に地面を平坦な状態に整形して、他の作業機械を用いず良好な作業環境を確保する。【選択図】  図１
2004315165.tif 000002
【特許請求の範囲】
【請求項１】
クローラ式の走行装置を有する走行体と、前記走行体上に旋回可能に設けられる旋回体と、旋回体に俯仰動可能に設けられるブームと、前記ブーム先端に設けられる作業床とを有し、前記走行体に昇降可能なブレード装置を備えたことを特徴とする高所作業車。
【発明の詳細な説明】
【０００１】
【発明の属する技術分野】
本発明は、高所作業車に関する。
【０００２】
【従来の技術】
建築、土木工事等に使用される高所作業車は、クローラ式走行装置を備えた走行体に旋回可能に旋回体を備え、この旋回体に俯仰動可能な伸縮ブームを備える。そしてブームの先端に作業床を備え、この作業床に作業員が搭乗し、高所における各種作業が行われる。そしてこの高所作業車の操作は、作業床に設けられる操作盤によって、走行、旋回、ブームの伸長・俯仰等の操作が行われる。（例えば特許文献１参照。）
【特許文献１】特開平１１−２９２４８２号公報
【０００３】
【発明が解決しようとする課題】
この高所作業車は、例えば、建物の建築や、電線の架設、橋梁の保守点検作業等様々な用途に用いられ、作業現場内で高所作業車自体を走行により移動することがある。地面に凹凸があると車体全体に揺れを生じ、車体の安定性が著しく低下する。また、高所作業車は、転倒を防止する観点から水平な堅土上に車体を停止させて作業を行う必要があり、凹凸がある地面で作業する場合は、事前に油圧ショベルなどの作業機を用いて地面を水平に均した後に、作業する必要があり、作業現場内で高所作業車が移動する範囲をその都度油圧ショベルなどで整地するのは作業効率が良くない。
【０００４】
本発明は、上述の課題を解決し、作業現場の整地を油圧ショベルなど作業機を別途を用いることなく行えるようにした高所作業車を提供するものである。
【０００５】
【課題を解決するための手段】
上述した課題を解決するために、本発明の高所作業車は、クローラ式の走行装置を有する走行体と、前記走行体上に旋回可能に設けられる旋回体と、旋回体に俯仰動可能に設けられるブームと、前記ブーム先端に設けられる作業床とを有し、前記走行体に昇降可能なブレード装置を備えたことを特徴とする。
【０００６】
【発明の実施の形態】
本発明の高所作業車を図１および図２により説明する。図１は、本発明の高所作業車の全体図、図２は、図１における要部拡大図である。図１において、１はクローラ式の走行体、２は旋回装置３を介して走行体１上に旋回可能に設けられる旋回体、４は旋回体２に俯仰動可能に設けられるブームで、このブーム４は多段伸縮式のブーム（一般にテレスコピック式ブームとも呼ばれる）で、旋回体２に装着される基段ブーム４ａ、基段ブーム４ａに内挿され、基段ブーム４ａ内から突出、収納される２段目ブーム４ｂ、２段目ブーム４ｂに内挿され、２段目ブーム４ｂ内から突出、収納される３段目ブーム４ｃとからなる。５は３段目ブーム４ｃに装着される作業床で、この作業床５には、ブーム４の俯仰、伸縮、旋回体２の旋回、走行体１による走行等を操作する操作盤６を備える。
【０００７】
また、図２に示すように走行体１には、その中央部にトラックフレーム８が設けられる。このトラックフレーム８の一方側（この例では前方側）には、後述するブレード装置１０を装着するための取り付けブラケット８ａ、８ｂが設けられる。
【０００８】
ブレード装置１０は、近年、油圧ショベルなどにもオプションなどで装着されるものと同等の構造を有するものであり、主として簡易な整地作業に用いられるものである。このブレード装置１０は、排土板としてのブレード１１と、ブレード１１に設けられ、トラックフレーム８のブラケット８ａに連結されるアーム１２と、ブレード１１をトラックフレーム８に対して昇降させる油圧シリンダ１３と、ブレード１１に設けられ、油圧シリンダ１３を連結するためのブラケット１１ａとから構成される。そして、アーム１２をトラックフレーム８のブラケット８ａにピン１４により連結し、油圧シリンダ１３をピン１５、１６によりそれぞれブラケット１１ａ、８ｂに連結して、ブレード１１をトラックフレーム８に対して昇降可能にし、油圧シリンダ１３の伸長によりブレード１１が下降、収縮によりブレード１１が上昇動作するように構成する。このブレード装置１０の昇降動作は、前述の操作盤６に設けられる不図示の操作レバーにより行われる。
【０００９】
次に以上のように構成される高所作業車における作業の内容について説明する。
【００１０】
まず、地面に凹凸がある不整地な作業現場で高所作業を行う場合は、まず、高所作業に入る前に、図１に示すようにブーム４を収縮させ、さらに俯仰角度を地面と水平もしくはそれより低い姿勢にする。そして、操作盤６により油圧シリンダ１３を伸長させ、ブレード１１を下降させて接地もしくは、所定の高さ位置にセットする。この状態で走行体１により走行させて、ブレード１１により地面の凹凸を平坦に整形する。この際、作業床５は図３に示すように矢印Ａで示す走行体１の進行方向に対してブレード１１の後方位置となるように旋回体２を旋回させておくと、ブレード１１と凹凸地面との位置関係を目視にて確認しやすく、作業床５を周囲の障害物と接触させる虞がなく、良好な操作位置にて整地作業を行うことが可能となる。そして、地面が平坦に整形されたことを確認し、ブーム４を起伏、伸長させて作業床５を目的とする作業対象物に接近させて、高所作業を開始する。
【００１１】
この際、走行体１を地面に対してより安定させるために、油圧シリンダ１３を伸長させてブレード１１を地面に接地させ、ブレード１１をアウトリガとして機能させることもできる。
【００１２】
本実施の形態は以上のように構成されるから、次のような効果を奏する。
（１）地面が不整地状態で凹凸があるような作業現場でも別途整地用の作業機、例えば油圧ショベル等を準備することなく、この高所作業車のみで地面を整地し、車体を安定させて作業を行える作業環境を構築することができるので、作業性が向上する。
（２）ブレード装置１０を車体を安定させるアウトリガの機能として利用できるので、より安定度を向上でき、安全性を高めることができる。
【００１３】
【発明の効果】
本発明の高所作業車は、ブレード装置を備えることで、不整地状態の作業現場でも、他の整地用作業機を用いることなく、整地することができ、良好な作業環境を作り出すことができ作業性が向上する。
【図面の簡単な説明】
【図１】本発明の高所作業車の全体図である。
【図２】図１の要部拡大図である。
【図３】本発明の高所作業車における整地作業の状態を示す作業状態図である。
【符号の説明】
１；走行体、２；旋回体、４；ブーム、５；作業床、６；操作盤、８；トラックフレーム、１０；ブレード装置、１１；ブレード、１３；油圧シリンダ。
【図１】
2004315165.tif 000003
【図２】
2004315165.tif 000004
【図３】
2004315165.tif 000005
(57)【要約】【課題】昇降路のスペースを有効に活用しながら、保守点検が行い易いように制御盤を配置すること。【解決手段】駆動装置６により駆動されるトラクションシーブ７に巻き掛けられた主ロープ３の間、即ち主ロープ３がトラクションシーブ７へ入る側と、主ロープ３がトラクションシーブ７から出る側との間に観音開きの扉２１を有する制御盤２０を設ける。駆動装置６の上方の空きスペースに制御盤２０を配置したことにより、昇降路１７の省スペース化が図れるとともに、開いた扉２１がロープガードの役割を果たすため、保守点検が行い易くなる。【選択図】        図１
2004315155.tif 000002
【特許請求の範囲】
【請求項１】
昇降路内を昇降するかごと、カウンターウェイトと、前記かごとカウンターウェイトとを連結した主索と、前記主索が巻き掛けられたシーブとを備えたものにおいて、
前記シーブの回転軸方向の投影面内において、前記主索の前記シーブへ入る側と前記シーブから出る側との間に制御盤が位置していることを特徴とするエレベータ装置。
【請求項２】
前記制御盤の扉は観音開きであることを特徴とする請求項１に記載のエレベータ装置。
【請求項３】
前記観音開きの各扉はその中間から外側へ開く折り戸であることを特徴とする請求項２に記載のエレベータ装置。
【発明の詳細な説明】
【０００１】
【発明の属する技術分野】
本発明はエレベータの制御盤に係り、特にマシンルームレスエレベータのように省スペース型のエレベータに好適な制御盤の配置に関するものである。
【０００２】
【従来の技術】
図４〜図６は従来のエレベータの構成を示すもので（特許文献１参照）、図４は昇降路下部の概略を示す図、図５は昇降路の横断面図、図６は機械空間を示す図である。
【０００３】
図において、１はエレベータかご、２はカウンターウェイト、３は主ロープであり、この主ロープ３は一端が昇降路１７の上部に固定され、かご１のプーリ５，４を経由して昇降路１７の上部のプーリ１２、トラクションシーブ７、昇降路１７の上部のプーリ１２、カウンターウェイト２のプーリ１３を経由して、他端が昇降路１７の上部に固定されている。９は昇降路１７の下部の壁１５に固定されたキャビネット型機械空間で、そのフレーム２０に駆動装置６及び制御盤８を固定している。１４は機械空間９の壁である。１０はかご１のガイドレール、１１はカウンターウェイト２のガイドレール、１８は乗場側開口部、１９はかご側開口部である。
【０００４】
図７は機械空間１０９を昇降路１７の上部に配置した例であり、その一部が切欠き１１０として昇降路１７の壁１５内に伸びている。１１４は機械空間１０９の壁、１１６は切欠き１１０の乗場側に設けられたドアで、図４と同一符号は同一のものを示している。
【０００５】
【特許文献１】
特開平８―２３１１６３号公報
【０００６】
【発明が解決しようとする課題】
図４〜図６の従来技術は、制御盤８を駆動装置６の横に配置している、即ち図５に示す昇降路１７の横断面上で制御盤８と駆動装置６が別々の空間を占有しているため、昇降路１７の省スペース化の障害になるという問題があり、また保守点検で制御盤８の扉を開くとその扉が邪魔になるという問題がある。
図７の従来技術は、図４における問題の他に昇降路の壁１５に切欠き１１０を設けなければならないという問題がある。
【０００７】
【課題を解決するための手段】
本発明は、かごとカウンターウェイトと、前記かごとカウンターウェイトとを連結した主ロープ等が巻き掛けられたシーブを備えたエレベータにおいて、前記主ロープ等が前記シーブへ入る側と出る側との間に制御盤を設けたものである。
また本発明は前記構成において、前記制御盤の扉を観音開きにしたものである。更に前記観音開きの各扉をその中間から外側へ開く折り戸にしたものである。
【０００８】
【発明の実施の形態】
本発明の実施の形態を図により説明する。図１は図６に相当する図、図２は図１の横断面図である。図において２０は制御盤であり、トラクションシーブ７の回転軸方向の投影面内（即ち図１）において、主ロープ３のトラクションシーブ７へ入る側とトラクションシーブ７から出る側との間に設けられている。２１は制御盤２０の扉であり、観音開きになっている。
【０００９】
本実施の形態は昇降路１７の横断面内において制御盤２０と駆動装置６が重なっている、即ち駆動装置６の上方の空間を有効利用しているため、昇降路１７の省スペース化が図れる。またかご１に乗って又はピットから制御盤２０の保守点検を行う場合、開いた扉２１が主ロープ３のロープガードの役割を果たすため安全性も高い。
【００１０】
図３は本発明の他の実施の形態で、扉２２をその中間から外側へ開く折り戸にしたものである。この構成であれば扉２２を開いた状態でかご１を寸動運転することができるため、保守点検効率が向上する。
【００１１】
図２，図３では省略しているが、扉２１，２２の扉開状態を維持しておくために、保守点検時にはストッパによって扉２１，２２を固定しておく。また前記の各実施の形態では駆動装置６等は昇降路１７の下部に設置してあるが、昇降路１７の上部に設置してある場合でも、図１の上下を逆にした図になるのみで、同様に実施できる。
また制御盤２０が近辺に配置されるシーブはトラクションシーブ７に限ることはなく、トラクションシーブを使用せずに主ロープ３を直接駆動するタイプのエレベータであっても適当なシーブを選んで制御盤２０を配置することができる。更に主ロープ３のみならずベルト等他の部材（主索と総称する）を使用しているエレベータであっても同様である。
【００１２】
【発明の効果】
以上説明したように、本発明によれば昇降路の省スペース化が図れるとともに、保守点検の効率化、安全性の向上を図ることができる。
【図面の簡単な説明】
【図１】本発明の実施の形態を示す図である。
【図２】図１の横断面図である。
【図３】本発明の他の実施の形態を示す図である。
【図４】従来のエレベータの昇降路下部の概略を示す図である。
【図５】従来のエレベータの昇降路の横断面図である。
【図６】従来のエレベータの機械空間を示す図である。
【図７】機械空間を昇降路の上部に配置した従来のエレベータを示す図である。
【符号の説明】
１  かご
２  カウンターウェイト
３  主ロープ
６  駆動装置
７  トラクションシーブ
８，２０  制御盤
１７  昇降路
２１，２２  制御盤の扉
【図１】
2004315155.tif 000003
【図２】
2004315155.tif 000004
【図３】
2004315155.tif 000005
【図４】
2004315155.tif 000006
【図５】
2004315155.tif 000007
【図６】
2004315155.tif 000008
【図７】
2004315155.tif 000009
(57)【要約】【課題】飲料に用いる容器は、持ち運びにがさばり、特に飲み終えた後など邪魔になる事があった。【解決手段】飲料用容器を薄型にし、フックを設ける。【選択図】  図１
2004315074.tif 000002
【特許請求の範囲】
【請求項１】
薄型でフックが付いている事を特徴とする飲料用容器である。
【発明の詳細な説明】
【０００１】
【発明の属する技術分野】
この発明は、飲料用容器の形状に関する。
【０００２】
【従来の技術】
従来の飲料用容器は、形状が円形の為ポケットなどに入れる事が出来ても邪魔になり持ち歩くのに不便であった。
【０００３】
【発明が解決しようとする課題】
しかしながら、以上の従来技術によれば、容器は持ち歩くのにがさばり特に飲み終えた後などに捨てる所がないと邪魔になり投げ捨てたりする。この発明は、容器が薄型でキャップとフックが付いている為持ち運びや携帯に優れている事を課題とする。
【０００４】
【課題を解決するための手段】
薄型でフックが付いている事を特徴とする飲料用容器である。
【０００５】
【発明の実施の形態】
以下の図面を参照して本発明の実施形態を説明する。
図１の３で示した曲線部が腰にフィットし、ズボンのベルト部やポケットにフックが引っ掛けられる。
【０００６】
【実施形態の効果】
この実施形態によれば、薄型の本体１とフック２の働きで邪魔にならない。したがって携帯しやすい。
【０００７】
【発明の効果】
以上説明したように、この発明によれば、容器のがさばりを減らし空容器でも手に持つことなく所持できる為、ゴミ箱まで携帯でき今までの容器で多かった投げ捨てなども減らす事も出来る。
【図面の簡単な説明】
【図１】この発明の立体図である。
【図２】従来技術を示す図である。
【符号の説明】
１  飲料用容器本体
２  フック
３  曲線
４  飲み口
【図１】
2004315074.tif 000003
【図２】
2004315074.tif 000004
(57)【要約】【課題】無重力もしくは低重力状態でビール、炭酸飲料水などの飲料水を泡と液体が分離した状態で容器に注ぐことのできる飲料水用ディスペンサーと注入方法を提供することを課題とする。【解決手段】図１のように回転軸１を中心に回転する円盤２が角速度ωで回転すると同時に、注入口４よりビール、炭酸飲料などの飲料水がジョッキ５に注がれる。この時遠心力の作用によって飲料水は泡層７と液層８に分離される。【選択図】図１
2004315076.tif 000002
【特許請求の範囲】
【請求項１】
無重力もしくは低重力状態で、遠心力の作用を利用してビール、炭酸飲料水などの飲料水を容器に注入することを特徴とする飲料水用ディスペンサーおよび注入方法。
【発明の詳細な説明】
【０００１】
【発明の属する技術分野】
この発明は、飲料水用ディスペンサーおよび注入方法に関する。
【０００２】
【従来の技術】
従来の飲料水用ディスペンサーおよび注入方法は重力があることを前提にしたものであった。重力下では液体中に浮力が発生し注入時に発生した泡が液体と分離するため、ビール、炭酸飲料水などの飲料水において泡と液体の両方の喉越しをそれぞれ楽しむことができた。
【０００３】
【発明が解決しようとする課題】
しかしながら、以上の従来技術によれば、無重力もしくは低重力状態では液体中に浮力が発生しないため注入時に発生した泡が液体と分離せず混在したままの状態で容器の中に存在し続けた。このため、ビール、炭酸飲料水などの飲料水において泡と液体の両方の喉越しをそれぞれ楽しむことができなかった。
そこで、この発明は、無重力もしくは低重力状態でビール、炭酸飲料水などの飲料水を泡と液体が分離した状態で容器に注ぐことのできる飲料水用ディスペンサーと注入方法を提供することを課題とする。
【０００４】
【課題を解決するための手段】
以上の課題を解決するために、請求項１の発明は、無重力もしくは低重力状態で、遠心力の作用を利用してビール、炭酸飲料水などの飲料水を容器に注入することを特徴とする飲料水用ディスペンサーおよび注入方法である。
【０００５】
【発明の実施の形態】
この発明の一実施形態を、図１に示す。
図１のように回転軸１を中心に回転する円盤２上に、円盤２の半径方向に対して垂直になるような台３が設置されている。円盤２の中心から台３に向けて注入用ノズル４が設置されている。台３にジョッキ５が配置されている。ジョッキ５の底部には磁石６が組み込まれており、ジョッキ５は磁力によって台３に半固定されている。
【０００６】
円盤２が角速度ωで回転すると同時に、ノズル４よりビール、炭酸飲料などの飲料水がジョッキ５に注がれる。この時遠心力の作用によって飲料水は泡層７と液層８に分離される。
【０００７】
円盤２の回転を止めることによって、泡層７と液層８に分離した状態のジョッキ５を安全に取り出すことができる。
【０００８】
「実施形態の効果」
この実施形態によれば、無重力もしくは低重力状態においても遠心力を用いることで飲料水を液層と泡層に分離することができる。したがって、泡と液体の喉越しをそれぞれ楽しむことができる。
【０００９】
「他の実施形態」
図１のように台３，ノズル４，ジョッキ５を放射状に配置することで、同時に複数のジョッキに飲料水を注ぐことができる。
【００１０】
図２のように、円盤２を円錐状にすることで泡層７と液層８の境界線をジョッキ５の飲み口に対して斜めにすることができる。こうすることで、液層８を飲み口に近づけることができ、無重力もしくは低重力状態でも飲料水が飲みやすくなる。
【００１１】
図３のように、円盤２を円錐状（すり鉢状）にすることで泡層７と液層８の境界線をジョッキ５の飲み口に対して斜めにすることができる。図２に比べてジョッキ５に働く遠心力の一成分が円盤２方向に向くので、回転時のジョッキ５の位置が安定する。
【００１２】
磁石６は無重力もしくは低重力状態においてジョッキ５と台３がずれないように半固定するものであるが、磁石６は吸盤、マジックテープ（登録商標）に変更することも可能である。
【００１３】
【発明の効果】
以上説明したように、この発明によれば、無重力もしくは低重力状態で、遠心力の作用を利用してビール、炭酸飲料水などの飲料水を泡と液体が分離した状態で容器に注ぐことができる。
【図面の簡単な説明】
【図１】この発明の一実施形態を示す平面図である。
【図２】この発明の他の実施形態を示す側面図である。
【図３】この発明の他の実施形態を示す側面図である。
【符号の説明】
１：回転軸  ２：円盤  ３：台  ４：ノズル  ５：ジョッキ  ６：磁石
７：泡層  ８：液層  ω：角速度
【図１】
2004315076.tif 000003
【図２】
2004315076.tif 000004
【図３】
2004315076.tif 000005
(57)【要約】【目的】指や手の動きにぴったりのシンプルでベストなアンプル切断器を提供する。【構成】枠状体（１）の外周上に取っ手（３）を設け、内周に無限状の刃形（２）を造形し、該刃形（２）に微小硬質材を付着させて無限状の刃を形成することを特徴とする。【選択図】      図１
2004315079.tif 000002
【特許請求の範囲】
【請求項１】
枠状体（１）の外周上に取っ手（３）を設け、内周に無限状の刃形（２）を造形し、該刃形（２）に微小硬質材を付着させて無限状の刃を形成したアンプル切断器。
【請求項２】
微小硬質材をかためてつくった請求項１のアンプル切断器。
【発明の詳細な説明】
【０００１】
【産業上の利用分野】
この発明は、アンプルを回して切断するアンプル切断器に関する。
【０００２】
【従来の技術】
従来、刃をＶ字形にして研磨材をかためてつくった刃を回して切断する小さなハート形のアンプル切断器があった。
【０００３】
【発明が解決しようとする課題】
これには、次のような欠点があった。
（イ）ハート形の小さなアンプル切断器を指先に持ってＶ字形の刃をアンプルの首に押し当てながら回してキズをつけるのでキズがつけづらかった。
（ロ）刃がＶ字形の構造であるためにキズが乱れ、アンプルを折りそこねて薬液やガラス片が飛散する等のアクシデントが起きることがあった。
本発明は、これらの欠点を除くためになされたものである。
【０００４】
【課題を解決するための手段】
枠状体（１）の外周上に取っ手（３）を設け、内周に無限状の刃形（２）を造形し、該刃形（２）に微小硬質材を付着させて無限状の刃を形成する。
本発明は、以上のような構成よりなるアンプル切断器である。
【０００５】
【作用】
取っ手（３）を左手でにぎり、アンプルを右手に持つ。無限状の刃にアンプルの首を押し当てながら移動させる。すると、該刃の上を押し当てられている位置を変えながら回りだして半自動的にキズが発生する。
【０００６】
【実施例】
以下、本発明の実施例について説明する。
（イ）枠状体（１）の外周上に取っ手（３）を設け、内周に無限状の刃形（２）を造形する。
（ロ）該刃形（２）に微小硬質材を付着させて無限状の刃を形成する。
本発明は、以上のような構造であり、使用するときは、取っ手（３）を左手でにぎり、アンプルを右手に持って無限状の刃にアンプルの首を押し当てながら移動させる。
すると、該刃の上を押し当てられている位置を変えながら回りだして半自動的にキズが発生する。
また、枠状体（１）の形は、円形でも、略円形でも、だ円形でも、又は他の形でも無限状の刃を形成できれば、どんな形でもよい。
なお、上述した（イ）の形全体を微小硬質材をかためてつくることも出来る。
【０００７】
【発明の効果】
アンプルを切断する動作が指や手の自然で単純な動きの中に組み込まれているので、きわめて安全である。
【図面の簡単な説明】
【図１】本発明の平面図である。
【図２】本発明のＡＢ断面図である。
【符号の説明】
１    枠状体
２    無限状の刃形
３    取っ手
【図１】
2004315079.tif 000003
【図２】
2004315079.tif 000004
(57)【要約】【課題】缶ビールや缶ジュース類を飲むときに、缶の縁に直接に唇を当てて飲むと、感触も悪く、プルタブの形が縦長であるため、ビールやジュースが飲みにくい流れ方になる。【解決手段】缶ビールや缶ジュース類に、簡単に取り付けることができ、グラスやコップの飲み口の形になる補助具があるとよい。【選択図】        図１
2004315080.tif 000002
【特許請求の範囲】
【請求項１】
缶ビールや缶ジュース類に、簡単に取り付けることができ、グラスやコップの飲み口の形になる補助具である。
【請求項２】
ポリエチレンのような、耐水性や柔軟性がある材質で成型された、補助具の飲み口（１）、蓋の内側への密着部（２）、缶への支持部（３）から構成されるものである。
【発明の詳細な説明】
【０００１】
【発明の属する技術分野】
この発明は、缶ビールや缶ジュース類を飲むときに、缶の縁に直接に唇を当てて飲むのではなく、グラスやコツプの感覚で飲み易くする補助具に関するものである。
【０００２】
【従来の技術】
従来より、缶ビールや缶ジュース類を、家庭内で飲むときは、コップやグラスを使って飲み、また、バーベキューなどの屋外でも、紙コップやストローを使って飲むのが通常である。しかし、一般には自動販売機などで買って、缶のプルタブを開けて、缶の縁に直接に唇を当てて飲むことが多い。
【０００３】
【発明が解決しようとする課題】
缶ビールや缶ジュース類を飲むときに、缶の縁に直接に唇を当てて飲むと、感触も悪く、プルタブの形が縦長であるため、ビールやジュースが飲みにくい流れ方になる。本発明は、これらの欠点を解決するために発明されたものである。
【０００４】
【課題を解決するための手段】
缶ビールや缶ジュース類を、美味しく飲み易くするためには、グラスやコップの飲み口の形になる補助具があるとよい。ポリエチレンなどの耐水性や柔軟性のある材質で、図１の補助具を作れば、図６のように簡単に取り付けることで、グラスやコップの飲み口の感触が得られるようになる。また、補助具の概ねの形は半円形の板状のものである。
【０００５】
【発明の実施の形態】
以下、本発明の実施の形態について説明する。材質はポリエチレンなどの、耐水性や柔軟性のあるもので、図１に示すように、補助具の飲み口（１）、蓋の内側への密着部（２）と、缶への支持部（３）から構成されるものである。大きさも、蓋の内側への密着部（２）が、缶の蓋の溝に密着する大きさにする。
【０００６】
図３に示すように、蓋の内側への密着部（２）の両端が、蓋の直径の位置まであり、缶への支持部（３）も、幅を広くして両端に近いところで、蓋のかしめ部分を押さえている。また、蓋の内側への密着部の先端（５）が、缶の蓋の溝に深く入り込み、缶への支持部の爪（４）が、缶の蓋のかしめ部分（７）の溝をしっかりと押さえている。更に、補助具の飲み口（１）は、蓋からはあまり高くないので、ビールやジュースを飲むときに、補助具は缶から外れることがない。
【０００７】
補助具の概ねの形は、ポリエチレンの半円形の板状のものであり、数枚を小さく重ねることができるので、外出時にはハンドバッグや服のポケットに、数枚を入れておくことができる。また、家庭では食器棚などへの収納も容易にできる。
【０００８】
【発明の効果】
本発明を使用することにより、外出時の車の中や公園のベンチ、旅行中の列車の中などでも、飲み物を美味しく飲むことができる。また、安価な物であるが、取り外して洗えば数回は使用することができる。
【図面の簡単な説明】
【図１】本発明の内側からの斜視図
【図２】本発明の内側からの正面図
【図３】本発明の平面図
【図４】Ａ−Ａ’の断面図
【図５】Ｂ−Ｂ’の断面図
【図６】本発明の使用図
【符号の説明】
１  補助具の飲み口
２  蓋の内側への密着部
３  缶への支持部
４  缶への支持部の爪
５  蓋の内側への密着部の先端
６  缶の蓋のプルタブ
７  缶の蓋のかしめ部分
【図１】
2004315080.tif 000003
【図２】
2004315080.tif 000004
【図３】
2004315080.tif 000005
【図４】
2004315080.tif 000006
【図５】
2004315080.tif 000007
【図６】
2004315080.tif 000008
(57)【要約】【課題】この発明は、ペットボトルなどの凹凸を利用して、スライドさせることで片手でホールドでき、携帯性や取り扱いが容易にできるものである。【解決手段】開閉部（２）を使い、ズボンなどに付け、片手ですき間（４）からキャップ（３）を入れホールド部（１）までスライドさせてホールドさせる。【選択図】  図１
2004315075.tif 000002
【特許請求の範囲】
【請求項１】
ペットボトルなど物の凹凸を利用し、スライドさせることで片手でもホールド可能な道具。
【発明の詳細な説明】
この発明は、例えば、従来のペットボトルを持ち歩く手段は、かばんの中に入れるか、袋形のペットボトルケースに入れて持ち歩くのがほとんどである。よって、かばんなどを持たない時に、ペットボトルを持ち歩くとなると、片手がふさがってしまう。
本発明は、ペットボトル栓などの凹凸を利用して携帯性や、使用前後の取り扱いを、解決したものである。以下、それを説明すると、
（イ）  片手ですき間（４）からキャップ（３）をいれる。
（ロ）  片手でホールド部（１）までスライドさせる。
（ハ）  片手でホールド部（１）からスライドさせてすき間（４）からキャップ
（３）を出し飲料。開閉部（２）を使いズボンなどにつける。
【図面の簡単な説明】
【図１】本発明の斜視図
【図２】本発明の上面図
【符号の説明】
１はホールド部    ２は開閉部    ３はキャップ    ４はすき間
【図１】
2004315075.tif 000003
【図２】
2004315075.tif 000004
(57)【要約】【課題】所望の箇所で給排作業をすることが出来る可搬式の給排装置を提供する。【解決手段】可搬式の台車に小型のオイルポンプを装填し、それに吐出ホースと吸入ホースを接続し、それぞれの先端にはカプラーを取り付けて、自動車のオイルパンや貯留槽へ新たなエンジンオイル等を送入供給したり、使用済みのオイル等を吸引排出したりする可搬式の給排ポンプ装置であり、殊に、台車にポリタンクを載せることが出来るように構成した。【選択図】        図１
2004315081.tif 000002
【特許請求の範囲】
【請求項１】
手押し式の台車をプラットホームにより上下二段に区画し、下段には小型のオイルポンプを装着し、それに吐出ホースと吸入ホースを接続し、それぞれの先端にはカプラーを取り付けると共に、プラットホームにポリタンクを載せることが出来るように構成し、ポリタンクにはキャップの１つにカプラーを取り付けて、これに吐出ホース、又は吸入ホースを連結することが出来るようにしたことをことを特徴とする自動車用エンジンオイル等の可搬式給排装置。
【発明の詳細な説明】
【０００１】
【発明が属する技術分野】
本発明は、自動車用エンジンオイルや冷却水等の液状物を送入供給し、吸引排出する給排装置に関し、殊にポリタンクを載せて、これを貯留容器として用いることにより所望の箇所で給排作業をすることが出来るようにしたことを特徴とするものである。
【０００２】
【従来の技術】
自動車の整備工場や整備作業所では自動車にエンジンオイルや冷却水を供給したり、自動車からそれらを抜き出したりする作業が多い。
そのため、整備工場などにはエンジンオイル等の給排設備が設けられており、更にエンジンオイル等の貯留槽が備えられていて、自動車に供給する新たなエンジンオイルや自動車から抜き出された廃油などを貯留することが出来るようになっている。
【０００３】
【発明が解決しようとする課題】
上記したように整備工場などにはエンジンオイル等の給排をするための設備が整えられているので、作業をするに当たっては格別な機器や工具は要しないが、反面、作業対象の自動車は予め決められた所定の位置に据置することが必要とされるのであって、それ以外の場所、殊に自動車ユーザーの敷地内や自動車が路上故障した場所などでのオイル交換作業は極めて能率が悪く、また、地面にオイルを零すなど、環境にも悪い影響を及ぼす、と云う問題があった。
【０００４】
【課題を解決するための手段】
本発明は、可搬式の台車に小型のオイルポンプを装填し、それに吐出ホースと吸入ホースを接続し、それぞれの先端にはカプラーを取り付けて、自動車のオイルパンや貯留槽へ新たなエンジンオイル等を送入供給したり、使用済みのオイル等を吸引排出したりする可搬式の給排ポンプ装置であり、殊に、一回の操作により自動車へ供給し、自動車から排出されるエンジンオイル等の量がせいぜい十数リットル程度である点に鑑み、台車にポリタンクを載せることが出来るように構成し、これを貯留容器とし機能さぜることにより可搬式の給排装置とて所望の箇所で給排作業をすることが出来るようにしたことを最も主要な特徴とする。
【０００５】
【発明の実施の形態】
以下、本発明に係る自動車用エンジンオイル等の可搬式給排装置を図面に基づいて具体的に説明する。
この実施例では可搬式給排装置は、本体部分は手押し式の台車１とオイルポンプ２とから成り、これにポリタンク３を載せてオイルポンプ２に連結させることが出来るように構成されている。
台車１は、基本的な構成は手押し式のキャリヤーと同様であって、鉄パイプ製の台枠１１に左右一対の車輪１２とストッパーを兼ねる支脚１３が取り付けられており、更に車輪１２の取り付け側には把手１４が形成されていて、給排装置を所望の箇所にまで移動させ、据置させることが出来るようになっている。
尚、把手１４は下向きに折り畳み自在になっていて、これを折り畳むことにより台車１の見掛け上の高さを低くして給排装置を小型のバンタイプの自動車に積んで運搬することが出来るようにしてある。
台車１はプラットホーム１５により上下二段に区画されて、下段にオイルポンプ２が取り付けられており、上段にはポリタンク３を載せるようになっている。尚、この給排装置は自動車の整備工場のようにコンプレッサーの設備が備えられている場所だけで使用するものであるときはオイルポンプ２はエアポンプが用いられるのであり、その他の場所（コンプレッサーの設備が備えられていない場所）でも使用するものであるときは電動ポンプが用いられる。
オイルポンプ２の吐出口と吸入口には吐出ホース２１と吸入ホース２２が接続されており、それぞれの先端にはカプラーを取り付けて、自動車のオイルパンや貯留槽、或いはポリタンク３に連結させることが出来るようにしてある。
ポリタンク３は容量が１５〜３０リットル程度の取り扱い易い液体容器であれば形状や構造については特に限定はしない。
図では市販の（片手で提げて取り扱うことの出来る形式の）２０リットルのポリタンクを用い、キャップの１つにカプラーを取り付けてこれに吐出ホース２１、又は吸入ホース２２を連結することが出来るようにしてある。
尚、オイルポンプ２のサクション側には自浄再生ハンドル付オイルフィルターが取り付けられているが、図では省略してある。
【０００６】
【実施例】
自動車のエンジンのオイル抜きプラグに吸入ホース２２のカプラーを接続し、吐出ホース２１をポリタンク３のキャップに接続して、オイルポンプ２を稼働させた。
するとエンジンオイルはオイルポンプ２により吸引され、ポリタンク３に送り込まれた。
尚、ポリタンク３の廃油が相当量に達したときは、台車１からポリタンク３を取り出して所定の貯留槽にその廃油を移し入れるのである。
又、ポリタンク３に充填した新たなエンジンオイルを自動車に供給するときは、吸入ホース２２をポリタンク３に接続し、吐出ホース２１をエンジンのオイルパンに接続して、オイルポンプ２を稼働させる。
すると上記とは逆にポリタンク３のエンジンオイルがオイルポンプ２により吸引されてオイルパンに送り込まれることとなる。
【０００７】
【発明の効果】
以上説明したように本発明は可搬式の台車に小型のオイルポンプを装填して給排ポンプ装置として使用することが出来るようにすると共に、台車にポリタンクを載せてこれを貯留容器とし機能させることにより自動車の整備工場のような給排設備が備えられた場所だけでなく、それ以外の、任意の、所望の場所でも作業をすることが出来るので、自動車の整備や補修が著るしく便利になった。
更に、自動車用エンジンオイルだけでなく、燃料や作動油などの液状物の交換に利用することが出来るし、その運搬台車としても使用することが出来る利点がある。
また、液面レベルの付けられたポリタンクを用いれば、高価な計量ガンを使わなくても給油量の目安を確認することが出来るなどの利点がある。
【図面の簡単な説明】
【図１】本発明に係る自動車用エンジンオイル等の可搬式給排装置の一実施例を示す正面図である。
【図２】同上要部を示す斜視図である。
【符号の説明】
１    台車
２    オイルポンプ
３    ポリタンク
１１  台枠
１２  車輪
１３  支脚
１４  把手
１５  プラットホーム
２１  吐出ホース
２２  吸入ホース
【図１】
2004315081.tif 000003
【図２】
2004315081.tif 000004
(57)【要約】［課題］灯油缶は、灯油を風呂釜の燃料に使用するので、冬期のみならず夏期においても使用されている。ところが灯油を灯油缶から他へ移す場合にはなかなかスッキリと行かない。何か好い方法はないかともう２２年も考えてきた。［解決手段］灯油缶（主として灯油用ポリエチレン缶）において、上面に手動または電動のポンプを設けて缶内に空気を注入しうるようにし、ストーブ給油タンクへの蛇口を、それらタンクの注油口の高さより高い位置になるように設け、その蛇口に灯油を缶底から押し揚げるためのパイプを設けて、ポンプで以て空気を注入すると、灯油がその揚油パイプを上って蛇口から排出されて、ストーブ給油タンクなどに注油しうるようにした、エアーポンプ付灯油缶。【選択図】なし。【特許請求の範囲】
【請求項１】
灯油缶（主として灯油用ポリエチレン缶）において、上面に手動または電動のポンプを設けて缶内に空気を注入しうるようにし、ストーブ給油タンクなどへ給油するための蛇口を、それらタンクの注油口の高さより高い位置になるように設け、その蛇口に灯油を缶底から押し揚げるためのパイプを設けて、ポンプで以て空気を注入すると、灯油がその揚油パイプを上って蛇口から排出されて、ストーブ給油タンクなどに注油しうるようにした、エアーポンプ付灯油缶。
【請求項２】
「請求項１」における「エアーポンプ付灯油缶」と同じ機能を果たすように、手動または電動のポンプと揚油パイプ付蛇口とを一体化して（揚油注油装置）、缶の上面に着脱可能に組付けて使用しうるようにし、必要な場合には、その揚油注油装置に代えて、別蓋を着脱しうるようにした、エアポンプ着脱式灯油缶。
【請求項３】
「請求項」」及び「請求項２」における「エアーポンプ付あるいは着脱式灯油缶」において、缶を透明なプラスチックにした、それら透明灯油缶。
【発明の詳細な説明】
【０００１】
［発明の属する技術分野］
本発明は、灯油を石油スタンドから或いは家庭の貯油タンクからストーブ給油タンクへ中継する場合に使用する灯油缶を使い易くしたものである。
【０００２】
［従来の技術］
従来の灯油缶は缶の上面に有る口から灯油を入出するもので、昔の石油缶以来何ら進歩も無く、漏斗や簡単なプラスチツクポンプを用いなくてはならないものであった。電動自動停止ポンプも販売されているが、一昔前のものは全くの弥四であったので、その後は使っていない。
【０００３】
［発明が解決しようとする課題］
その不便を解消できないかと、以前から考えて来た。
昭和５６年１２月２８日「燈油缶（家庭用燈油缶の側面低部に蛇口を取付け、それに適当な案内ホースを取付け、適当な高さの台に置いて、燈油の注入を行なう家庭用燈油缶）（５６−１９４６４７）」を実用新案出願している。
これは、私は大変便利なものと思ったのであるが、ただ台を用いなくてはならないところが難点であった。
【０００４】
［課題を解決するための手段］
そこで、台を用いなくても済むように、蛇口を下部から上部に移すことを考えた。即ち、魔法瓶のように、缶内にポンプで空気を送って、その圧力で以て揚油し、高い位置の蛇口から灯油を出すことを考えた。
そして、ポンプと蛇口が固定式のものとそれらが着脱式のものとを考えた。
また、缶は透明な素材で以てし、灯油を注入する時、注ぎ具合が観察できるものにしたいと考えた。
【０００５】
［発明の実施の形態］
本発明は、「特許請求の範囲」に簡潔に述記してある。
【０００６】
［実施例］
本発明の缶は、いろいろなストーブ給油タンクに本発明から給油するには、その蛇口の高さは、４３ｃｍはほしい。そうすると、底面は１７ｃｍ×３１ｃｍくらいとなる。これなら一応安定すると思われる。２０リッター一杯に入れると、女性には可なり重いので、適当に注いで使用して貰うことになろう。
【０００７】
［発明の効果］
本発明によって、１９８１年以来テーマとして来た灯油缶の使い易さへの挑戦にこれ以上のものはなかろうと言う発明が出来たと喜んでいる。実に２２年も掛かった成果である。
なお、昭和５６年出願の「燈油缶」は、現在家庭用のポリ缶ではないが、広島の柴田燃料商会（アポロ石油）が屋外用に開発して各戸に設置して営業している。それにどう対処すべきか、国にこう言う場合の指針が設けられると、私のみならず、多くの方が助かり、またそう言うことを防止できよう。
灯油ポリ缶製造業者は全国に何社あるか知らないが、快く協力してくださる方と共に世界の市場を目差して実用化して行きたいと思っている。